(57)【特許請求の範囲】
【請求項１】
−ハウジング（２１）により支持されたシャフト（１５）の端部に回転自在に取り付けられているとともに、ヤーンが表面上に接触しているプーリ（Ｐ）と；
−前記シャフト（１５）に関して回転方向に固定されているとともに、前記プーリ（Ｐ）を支持するベアリング（１３）に取り付けられかつ強磁性材料で形成されたリング体（１８）に対向させて同心状に配置された複数の永久磁石（１９）を備えた、前記プーリ（Ｐ）を制動するための手段と；
−前記各マグネット（１９）と、前記プーリを支持する前記ベアリング（１３）との間の間隔を、これら両部材のうち一方を前記シャフト（１５）上でスライドさせることにより変化させることができる手段と；
を備えているヤーン張力装置にいおいて：
前記各磁石（１９）と制動されるプーリ（Ｐ）との間の間隔を調節するための前記手段は；
−前記各磁石（１９）の支持部（２０）が、前記プーリ（Ｐ）に関連付けられた前記リング体（１８）に対して所定の最小値まで近づくように押圧する手段である第一の組立体（２３，２４）と；
−前記リング体（１８）から離間するように前記各磁石（１９）を移動させかつ調整可能な復帰力を与える手段である第二の組立体（２５，３２）と；を備えており、
前記復帰力を与える手段は、前記シャフトの当接面（２９）に当接しかつ該シャフト（１５）上に固定状態で取り付けられたピストン（３２）の面（２６）に対して作用する圧縮空気供給源（３６）を備えているとともに、前記ピストンの他の面（２７）には前記押圧する手段（２３）が作用しており、
空気供給ライン（３７）を用いることにより、機械が備えることができる全ての張力装置に対して圧縮空気が同時に供給されることを特徴とする装置。
【請求項２】
前記各磁石（１９）と、前記プーリ（Ｐ）に関連付けられた前記リング体（１８）との間の間隔の変化は、前記機械のフレーム部に固定状態で取り付けられかつ前記プーリを支持する前記シャフト（１５）に対して、軸線方向に沿って前記各磁石（１９）を変位させることにより得られることを特徴とする請求項１記載の装置。
【請求項３】
前記各磁石（１９）と、前記プーリ（Ｐ）に関連付けられた前記リング体（１８）との間の間隔の変化は、前記各磁石（１９）を支持する前記ハウジング（２１）を前記機械のフレーム部に固定して、前記プーリを支持するシャフト（１５）を変位させることにより得られることを特徴とする請求項１記載の装置。
【請求項４】
請求項１から３のいずれかに記載された張力装置を備えているとともに、同一とされた複数の作業ステーションを有する機械であって、
前記各張力装置（８）は、同一の機能を有する前記機械の全てのフィーダ上で同時に調節されることを特徴とする織機。
【発明の詳細な説明】
本発明は、あらゆる形式の織機に使用することができる新しい形式のヤーン張力装置に関し、さらに詳細には、ヤーンを撚り及び／又は撚りにより組み合わせることができるあらゆる形式の機械に使用することができる装置に関する。
ヤーンが製造中に進行する種々の転換工程の過程において、可能な限り均一でかつ一定な張力を付与することが不可欠とされる。この目的のために多くの解決手段が張力装置に対して提案されており、最も単純なものとして、例えば、互いに対向配置されかつスプリングにより付勢された二枚のディスクからなるガイド部材上でヤーンに張力を与えるものがある。
これらの解決手段は付与される張力を正確に制御することができないので、かかる問題を解決するための種々の提案がなされている。
すなわち、仏国特許第２，１４５，０５６号公開公報の前提部分に記載されているように、周縁部に摩擦層を有しているとともに該周縁部の少なくとも一部がヤーンに対して接触状態とされているプーリと、該プーリを制動するための手段と、を備えた張力装置を使用することが提案されている。これらのプーリ制動手段は、プーリのシャフトと一体とされたロータと、調節可能な直流源と接続された複数のステータ巻線と、を有する非同期式モータを用いた渦電流式ブレーキとされている。概して、米国特許第３，７９７，７７５号明細書に記載された装置と同様の上記形式の張力装置は、特に、電流供給を必要とし、そのため多くの供給用接続端子を必要とするという点で満足のいくものではない。
上記仏国特許第２，１４５，０５６号公開公報は、この欠点の克服をねらいとしており、プーリのシャフトと一体にされたロータと、放電用抵抗器に接続された電機子とを有するとともに、永久磁石により磁界が形成された発電機を兼ね備えた制動装置が開示されている。
上記解決手段はさらに、複数の張力装置により付与された張力の調節を同時に確保することができるものである。しかし、費用がかかるという欠点、とりわけ、製造時に非常に高い精度が要求されるという欠点を有するものである。
仏国特許第２，１６７，９５７号公開公報には、ヤーンをガイドするための制動手段として磁極を同数有する磁石が記載されており、該磁石は、複数の孔部が一面に形成されているとともにヤーンガイド用プーリを支持するディスクに対向して配置されている。このプーリは、ディスクと磁石との間の距離を変化させることにより制動される。
上記解決手段は、電気接続端子に関する問題を回避することはできるが、多数の並置された同一作業ステーションを有する織機が備える全ての張力装置を同時に制御することができない。
今回、新しい形式の張力装置が発明され、これが本発明の要旨となっている。本願発明の張力装置は、上記各従来技術の欠点を解決するものであり、電流供給を回避することができるだけでなく、織機の始動時に通常運転時の張力としたまま一定に保ちつつ連続的な張力付与を確実にするものである。さらに、複数の同一作業ステーションを有する織機が備える全ての若しくはいくつかの張力装置は、同一機能を有する全てのフィーダに対して同時に調節することができるものである。さらに、本発明による装置は、ヤーンに付与する張力を幅広い範囲で提供することができるとともに、互いに異なる特性を有する各ヤーンに対して使用できるものである。
以下に、本発明は、ストランダー（stranding machine）に使用される張力装置を参照して説明される。以下に“プーリ”という表現を用いて特定される張力を付与する部材は、二つの皿部を備えたものである。これら皿部は、ハブに取り付けられているとともに、これら皿部間の圧力を調節してヤーンの駆動を積極的に行うことができるナットを用いて互いに固定されている。他の均等な装置を使用できることは明らかであり、例えば、ドラムまたは単に溝形成したプーリの周縁部上をヤーンが通過するようにした本発明の張力装置を使用することができる。
概して、本発明による張力装置は：
−ハウジングにより支持されたシャフトの端部に回転自在に取り付けられているとともに、ヤーンが表面上に接触しているプーリと；
−前記シャフトに関して回転方向に固定されているとともに、前記プーリを支持するベアリングに取り付けられかつ強磁性材料で形成されたリング体に対向させて同心状に配置された複数の永久磁石を備えた、前記プーリを制動するための手段と；
−前記各マグネットと、前記プーリを支持する前記ベアリングとの間の間隔を、これら両部材のうち一方を前記シャフト上でスライドさせることにより変化させることができる手段と；
を備えている。
本発明による装置は、各磁石と制動されるプーリとの間の間隔を調節するための手段が；
−前記各磁石の支持部が、プーリに関連付けられたリング体に対して所定の最小値まで近づくように押圧する手段である第一の組立体と；
−前記リング体の表面から離間するように前記各磁石を移動させかつ調整可能な復帰力を与える手段である第二の組立体と；を備えており、復帰力を与える手段は、前記シャフトの当接面に当接するように、該シャフト上に固定状態で取り付けられたピストンの面に対して作用する圧縮空気供給源を備えているとともに、前記ピストンの他の面には押圧する第一の手段が作用しており、共通の空気供給ラインを用いることにより、織機が備える全ての張力装置に対して圧縮空気が同時に供給されることを特徴としている。
本発明によれば、張力装置によりヤーンに付与される張力を調節可能とするための、前記各磁石と前記プーリと関連付けられた前記リング体との間の間隔の変化は、以下の手段により達成することができる。それは、織機のフレーム部に固定状態で取り付けられかつプーリを支持するシャフトに対して各磁石を軸線方向に沿って変位させ、あるいは、各磁石を支持するハウジングを織機のフレーム部に固定して、前記プーリを支持するシャフトを変位させることにより行われる。
しかしながら、本発明およびその有利点は、添付図面を参照して、以下に示された例示的な実施形態によりさらに理解される。
−図１は、本発明による張力装置に取り付けられた二本の基本ヤーンに撚りをかけることができる織機の概略図である。
−図２は、本発明による張力装置の詳細を示した長手方向断面図である。
−図３は、張力を付与する“プーリ”回りのヤーンの走行状態を示した張力装置の正面図である。
−図４は、共通の圧縮空気供給源に接続されているとともに、織機の四つのステーションに設けられた複数の張力装置を示した平面図である。
図１は、仮撚りにより二つの基本ヤーンを組み合わせることができる、“直接ストランダ（direct strander）”として知られた織機の作業ステーション（workstation）の側面を概略的に示している。
長い間知られている（米国特許第３，０２６，０６３号参照）この形式の織機は、各作業ステーションにおいて、二つの供給源１，２から供給される二本の基本ヤーン（elementary yarn）Ａ，Ｂを撚ることにより結合することができるようになっている。ボビン１から供給されるヤーンＡは、バルーン部４を形成するように回転台３等を通過し、ヤーンＢを供給する供給源２は、該バルーン部４内に配置されている。二本のヤーンＡ，Ｂは、結合点５において撚りをかけられて組み合わされるとともに、形成された撚り糸６は、例えば付加的な撚りをさらに与えることのない巻取りシステム７等の従来技術により巻き取られる。撚り糸６を形成する二本のヤーンＡ，Ｂの巻上げは、巻取りシステム７の巻取り速度により決定される。バランスのとれた組立体を有するように各張力を等しくするために、各ヤーンＡ，Ｂに対して張力装置８，９がそれぞれ設けられている。張力装置８は、回転台３回りのヤーンＡの予備長さ（reserve length）を調節できるようにされているとともに、ボビン１でヤーンが解かれている間に生じる衝撃を吸収する緩衝装置としての機能を発揮するようになっている。これにより、高度に均一化されたバルーン部４を維持することができる。
本発明による張力装置は、回転台３を通過するとともにバルーン部４を形成するヤーンＡに対して張力を付与するために用いるのに特に適したものである。
したがって、本発明による複数の張力装置８を備えたストランダは、並列配置された同一の作業ステーションを複数有している。かつ、本実施形態では織機の上部に配置されたクリール（creel）により保持された支持部１から供給されるヤーンＡの張力を確保することができる各張力装置８はそれぞれ、フレーブ部に保持された支持プレート３５上に取り付けられている。これらの張力装置は、都合良くも、巻取りシステム領域内でかつ該システムの前部における織機のフレーム部上に位置しており、ヤーンＢは、該ヤーンＢの供給源２の軸線の延長線上でかつ撚り点（stranding point）６の上流側に位置するブレーキ９に直接的に供給される。
実質的に等倍率で図示された図２および図３に示すように、本発明による張力装置８は、ヤーンに張力を付与することができる部材としてのプーリを備えている。該プーリは、シャフト１５の端部に複数の回転ベアリング１４を介して回転自在に取り付けられたハブ１３上に取り付けられた二枚の皿部１１，１２により構成されており、これら皿部１１，１２間をヤーンＡが通過するようになっている。両皿部１１，１２は、ナット１６とされた組立体を用いてハブに固定されており、これにより、各皿部間の圧力ひいてはヤーンに付与される張力を調節することができる。ヤーンＡは、両皿部の間の空間内を通過するとともに、相互当接区域を含む領域内で保持され、この当接面の上流側および下流側にそれぞれ配置された二つのガイド部１７，３９（図３参照）により両皿部回りを包囲するようになっている。
図２に示すように、プーリを支持するハブ１３は、該プーリに対向する面上に、例えばフェライト等を基材とした強磁性材料で製造されたリング体１８を備えている。
プーリの制動を行うことができる手段として、本実施形態においては二つとされている直径１５ｍｍのペレット状とされた複数の永久磁石１９を備えている。これら磁石は、ハウジング２１内に不動とされた支持部２０上に、かつシャフト１５に対して同心状に取り付けられている。支持部２０は、ネジ２２を用いてロックされているとともに、シャフト１５の回転方向に関して不動とされている一方で、該シャフト１５の並進方向に関して自由とされている。
本発明によれば、張力装置は、各磁石１９と、プーリにより保持されたリング体１８との間の空間を変化させることができる手段を備えている。この空間は、最小値である１ｍｍと、磁石のパワーによって決定される本実施形態において４ｍｍとされた最大値との間で変化する。前記最小値とすることにより、幾何学的欠陥から生じる干渉の危険性を回避することができる。
調節可能とされたこれらの手段は、第一に、各磁石１９が取り付けられた支持部２０をリング体に対して接近させる方向に押圧する第一の押圧用組立体を備えている。この変位は、所定の最小値に制限されており、本実施形態においてはスプリング２３とされた組立体を用いることにより得られるものである。このスプリング２３は、シャフト１５回りに配置されており、ハウジング２１と一体とされた固定環形ベアリング２４と、シャフト１５と一体とされたピストン３２の後面と、に対して当接しており、これにより、組立体（３２−１５）に対して相対的にハウジング２１をスライドさせることができるようになっている。
図２に示すように、ハウジング２１は、該ハウジングの後面３３上に肩部３４が形成されるように構成されており、これにより、ハウジングの底部とピストンの面２６との間にチャンバ２５を形成することができるようになっている。このピストンの他面は、シャフト１５に形成された肩部に当接している。チャンバ２５の液密性を確保するために、複数のシール３０，３１が用いられている。圧縮空気供給源の入口部３６は、このチャンバ２５内に開口している。シャフト１５は、織機のフレーム部と一体とされたサポート部３５に固定状態で取り付けられている。
このような構成とすることにより、ヤーンが通過する際にプーリにより付与される張力を調節することができる。図２において、張力装置の種々の部材がそれぞれの位置に示されており、磁石１９は、プーリＰのハブ１３に取り付けられたリング体１８に対して、所定の最小距離すなわち本実施形態においては１ｍｍのオーダーとされた距離を有して位置している。このような位置とすることにより、ヤーン上に最大張力を付与することができる。張力値を変更するときは、圧縮空気をチャンバ２５へ供給し、スプリング２３を付勢しているピストン３２を押し戻して複数の磁石を有するハウジング２１をシャフト１５に対して図２において左方に変位させる。これにより、各磁石とリング体１８との空間を増大させることができるようになる。そして、各磁石により与えられる制動力が減少させられることになる。
図４に示すように、上記構成とすることにより、パイプ３６を用いて各フィーダ８を圧縮空気供給源３７に接続し、中央空気バルブ３８により流入空気を調節することで、一つの圧縮空気供給源３７から複数の張力装置へと圧縮空気を供給することができる。
上述した実施形態において、プーリに対する各磁石の変位は、これら磁石を保持するハウジングが織機に固定されたシャフト上を移動することにより得られるものである。これとは逆の動きとすることもできる。すなわち、ハウジングを織機に固定し、該ハウジングに対してプーリを変位させることもできる。
もちろん、本発明は、本実施形態に限定されるものではなく、本発明の思想を逸脱しない範囲で種々の変形を加えることができる。
【図１】
0003898763.tif 000002
【図２】
0003898763.tif 000003
【図３】
0003898763.tif 000004
【図４】
0003898763.tif 000005